(57)【特許請求の範囲】
【請求項１】
複数の線画付き三角形を基本図形とした多角形から構成される複写防止模様を有する印刷物であって、上記線画付き三角形は、三角形の垂心Ｐ１と、上記垂心Ｐ１から各辺への垂線と各辺との交点Ｐ２と、上記三角形の各頂点Ｐで構成される複数の部分三角形から構成され、上記部分三角形における線画付き三角形の辺をなす辺はその両端に長さａを残して長さ２ａづつに複数分割されており、上記部分三角形における線画付き三角形の辺をなす辺の分割された点に斜辺から垂直に描画された一定の画線幅を有する複数の画線から成る画線群で線画が構成されていることを特徴とする複写防止模様を有する印刷物。
【請求項２】
複数の線画付き三角形を基本図形とした多角形から構成される複写防止模様を有する印刷物であって、上記線画付き三角形は、垂心Ｐ１と、上記垂心Ｐ１から各辺への垂線と各辺との交点Ｐ２と、上記三角形の各頂点Ｐで構成される複数の部分三角形とから構成され、上記部分三角形における線画付き三角形の辺をなす辺はその両端に長さａを残して長さ２ａづつに複数分割されており、上記部分三角形における線画付き三角形の辺をなす辺の分割された点に対辺から、斜辺に平行に描画された一定の画線幅を有する複数の画線から成る画線群で線画が構成されていることを特徴とする複写防止模様を有する印刷物。
【請求項３】
複数の線画付き三角形の集合模様は、複数の線画付き三角形が横方向に上下交互に並列して構成される段部を縦方向に複数配置し、縦方向に隣接する段部は、互いに隣接辺に対して対称の配置、又は互いに隣接辺に対して対象の配置としかつ該対称の配置から横方向にずれた配置のいずれか一つの配置であることを特徴とする請求項１又は２記載の複写防止模様を有する印刷物。
【請求項４】
上記集合模様は潜像を含むものであり、潜像を施さない部分の画線を一本線、潜像を施した部分の画線を二本線以上の画線で表現し、上記潜像を施した部分の二本線以上の画線は、該二本線以上の画線の画線幅の合計の画線幅が、上記潜像を施さない部分の一本線の画線の画線幅と等しく、且つ、上記潜像を施さない部分の一本線から分岐していることを特徴とする請求項１、２又は３記載の複写防止模様を有する印刷物。
【請求項５】
上記集合模様は潜像を含むものであり、潜像を施さない部分の画線を連続線で、潜像を施した部分の画線を一定の間隔で配列された所定の形状の画線からなる定周期断絶線で構成し、上記潜像を施した部分の定周期断絶線のうち、連続した一つの画線部と非画線部からなる一周期の長さに相当する部分の画線面積が、上記潜像を施さない部分の連続線のうち、上記一周期と同一の長さに相当する部分の画線面積と等しいことを特徴とする請求項１、２、３又は４記載の複写防止模様を有する印刷物。
【請求項６】
上記集合模様が地紋模様であることを特徴とする請求項１、２、３、４又は５記載の複写防止模様を有する印刷物。
【請求項７】
三角形を、垂心Ｐ１と、上記垂心Ｐ１から各辺への垂線と各辺との交点Ｐ２と、上記三角形の各頂点Ｐで構成される複数の部分三角形に画成し、上記部分三角形の夫々について、上記部分三角形における線画付き三角形の辺をなす辺をその両端に長さａを残して長さ２ａづつに複数分割し、上記部分三角形における線画付き三角形の辺をなす辺の分割された点に斜辺から垂直に一定の画線幅を有する複数の画線から成る画線群を描画して線画付き三角形を形成し、線画付き三角形を複数集合して集合模様である複写防止模様を形成することを特徴とする複写防止模様を有する印刷物の作成方法。
【請求項８】
三角形を、垂心Ｐ１と、上記垂心Ｐ１から各辺への垂線と各辺との交点Ｐ２と、上記三角形の各頂点Ｐで構成される複数の部分三角形に画成し、上記部分三角形の夫々について、上記部分三角形における線画付き三角形の辺をなす辺をその両端に長さａを残して長さ２ａづつに複数分割し、上記部分三角形における線画付き三角形の辺をなす辺の分割された点に対辺から、斜辺に平行な一定の画線幅を有する複数の画線から成る画線群を描画して線画付き三角形を形成し、線画付き三角形を複数集合して集合模様である複写防止模様を形成することを特徴とする複写防止模様を有する印刷物の作成方法。
【請求項９】
線画付き三角形を複数集合して集合模様である複写防止模様を有する印刷物の作成方法において、線画付き三角形を複数集合する場合は、線画付き三角形を複数横方向に上下交互に並列して段部を構成し、該段部を縦方向に複数配置し、縦方向に隣接する段部は、互いに隣接辺に対して対称の配置、又は互いに隣接辺に対して対象の配置としかつ該対称の配置から横方向にずれた配置のいずれか一つの配置とすることを特徴とする請求項７又は８記載の複写防止模様を有する印刷物の作成方法。
【請求項１０】
上記集合模様は潜像を含むものであり、潜像を施さない部分の画線を一本線、潜像を施した部分の画線を二本線以上の画線で表現し、上記潜像を施した部分の二本線以上の画線を、該二本線以上の画線の画線幅の合計の画線幅が、上記潜像を施さない部分の一本線の画線の画線幅と等しく、且つ、上記潜像を施さない部分の一本線から分岐させることを特徴とする請求項７、８又は９記載の複写防止模様を有する印刷物の作成方法。
【請求項１１】
上記集合模様は潜像を含むものであり、潜像を施さない部分の画線を連続線で、潜像を施した部分の画線を一定の間隔で配列された所定の形状の画線からなる定周期断絶線で構成し、上記潜像を施した部分の定周期断絶線のうち、連続した一つの画線部と非画線部からなる一周期の長さに相当する部分の画線面積を、上記潜像を施さない部分の連続線のうち、上記一周期と同一の長さに相当する部分の画線面積と等しくすることを特徴とする請求項７、８又は９記載の複写防止模様を有する印刷物の作成方法。
【請求項１２】
上記集合模様を地紋模様とすることを特徴とする請求項７、８、９、１０又は１１記載の複写防止模様を有する印刷物の作成方法。
【発明の詳細な説明】
【０００１】
【産業上の利用分野】
本発明は、偽造、変造防止を必要とする印刷物において、デジタルカラー複写機及びデジタルモノクロ複写機（以下、複写機と称する）による複写やプロセス印刷によって複製した場合に、モアレや潜像による顕著な模様を発現させる複写防止模様を有する印刷物及びその作成方法に関する。
【０００２】
【従来の技術】
最近の複写機の著しい普及に伴い、銀行券、株券、債券等の有価証券、各種証明書及び重要書類等の印刷物において、複写機による偽造、変造に対する防止策は重要な要素である。そうした複写機による複写物に対して、真正物であるか否かを判定する場合の有効な偽造防止策の一つにモアレによる模様がある。モアレによる模様は、一定の画線幅を有する直線や曲線が一定間隔で連続配列している印刷物上の模様と、複写時において複写機の走査入出力の走査線とが干渉し、干渉縞として発生するものである。
【０００３】
又、印刷物を複写機で複写すると目視では認識できなかった潜像を現出するコピー防止画線等がある。しかし最近のカラー複写機の著しい普及に伴い、偽造、変造による犯罪が増加する危険性を有しており、より一層効果の高い偽造、変造防止策として技術の開発が望まれていた。
【０００４】
前記偽造防止策としてのモアレによる模様を発生させる画線構成として、まず万線パターンによるものがある。例えば、実公平２−４３７４７号公報によると、電子写真方式のカラー複写機コピーマシンによる複写偽造を防止するために、シート基材上に１つの色で万線パターンによる印刷層を形成し、更に該印刷層上に他の色で上記パターンと角度を変えて、万線パターン又は網点パターンによる印刷層を形成して、これをカラーコピーマシンによりコピーすると、カラーコピーマシンに用いられているレンズのレンズ収差により周辺部に歪みが生じるとともに、パターンを各々異なる色で構成しているので、色収差のために各色間でずれが生じ、本物の印刷物のモアレとは異なったモアレが発生するので、目視のみでカラーコピーマシンによる複写偽造のチェックができる複写偽造防止用印刷物が開示されており、
【０００５】
又、実開平１−３６８６６号公報によると、隣り合う放射状線相互の間隔が略一定になるようにして、被画線形成物上の基準点から放射する多数本の放射状線を具備し、被画線形成物を複写した際にＣＣＤセンサーの走査方向と平行になる部分に確実にモアレを発生させて複写物であることを特定できる画像形成体が開示されている。しかし、前記いずれの考案も、万線パターンを利用しているので画線を構成する万線の角度に依存せざるを得ず、従って万線パターンの角度をかえた画線を多く組み合わせることが必要とされる。
【０００６】
そこで前述した角度に依存せずにモアレを発生させるものとして、同心円パターンを用いた、例えば、実開平５−１２１７３号公報によると、被複写紙上に一定間隔を隔てた多数の同心円、あるいは多数の放射線よりなる背景部を印刷形成し、デジタルコピー機による複写時に上記背景部中のいずれかの部分がデジタルコピー機の読取り方向に対してモアレを発生させる傾斜角度のアミ点あるいは線群とさせることにより、複写紙上にこの部分を被複写紙の背景部にはないモアレ発生部として現出させることによって、どのような読取り方向から複写した場合でも被複写紙と同一の複写を行なわさせず、複写紙上に差異部を現出させて被複写紙との違いを明確とさせることが可能な、デジタルコピー機による複写偽造防止用の被複写紙が開示されている。
【０００７】
又、特開平６−２６２８９３号公報によると、基紙の表面に施された潜像と背景の一方が１５０線１０％程度の網点で形成されると他方が同心円パターンで形成され、同心円パターンの円形を構成する細線が１／１０ｍｍの太さを有し、且つ細線相互の間隔Ｓが１／２ｍｍ程度であり、潜像と背景は同色であり、同心円パターンを構成する細線は網点同様無数に存在し、且つ目立たないため、通常は網点との識別がつかず、肉眼で潜像と背景は一様平面に観察されるが、コピーをすると複写機の形式を問わず、また光の走査方向や用紙の置き方にも関係なく潜像が明瞭に現出するとともにモアレが発生することによって、潜像の視認性とモアレの視認性によって偽造防止する複写機適応型コピー偽造防止用紙が開示されている。
【０００８】
しかし、前記いずれの技術を用いても、モアレの発生は複写機の走査方向に応じて印刷物中の図柄の一部分で発現するので、単純なモアレによる模様とならざるを得ず、モアレによる模様そのものを知らない一般の人が、市場流通過程において真正な印刷物を複写した場合に発現するモアレによる模様によって、複写機による複写物であると判別するには、十分な真偽判別要素となり得ていないという問題点があった。
【０００９】
そこで本願出願人は前述の問題点を解決するため、特開平９−２００６１号公報では、一定の画線幅の画線を有する複数の多角形に、前記多角形の辺をなす線分の外向には、多角形の線分と同一の画線幅の定量連続拡張した画線を施し、前記多角形の辺をなす線分の内向には、多角形の線分と同一の画線幅の収縮配列した画線を施し、前記多角形の辺をなす線分と、定量連続拡張した線画と、収縮配列した線画とが等差数列をなす線画の集合体で構成した複写防止模様の作成方法とその印刷物を出願している。
【００１０】
又、印刷物を複写機で複写すると目視では認識できなかった潜像を現出するような方法の代表的な技術として、一般的にコピー防止画線と称する一連の技術がある。即ち複写機によって複写することにより、印刷物中に施してあった潜像が現出するものである。このような複写機による偽造防止に適する印刷物においては、例えば、特開昭５７−２０３９５号公報によると、基紙表面に例えば８５線３０％の網点である微細構成素子よりなる文字を表示した潜像を銀インキを用いて印刷し、次にこの潜像以外の余白部に前記潜像より粗または密（例えば１５０線３０％）の網点で印刷を施すと共に、前記潜像の上面に彩紋や地紋等の印刷模様を施す、複写による偽造防止に適する潜像入り印刷物がある。
【００１１】
又、特開昭６０−７９９９１号公報によると、用紙の表面に網点で潜像を印刷し、万線で潜像と同濃度の背景を同時印刷し、背景を含む潜像の上面に装飾模様をコピーで再現されない程度の薄色の透明性インキで重ね刷りすることにより、印刷物表面を体裁よく仕上げ、コピーにかけると模様は見えなくなり、背景は再現されると共に潜像は再現されず、背景と潜像の濃度差が歴然となって複写物であることが一見して分かる、複写防止に適する印刷物がある。
【００１２】
更に、特開昭６０−８７３８０号公報によると、１５０線１０％の網点よりなる潜像をそなえ、且つ潜像周囲の白地面に５０〜６０線１０％程度の万線よりなる背景を備えた潜像版を用いて、用紙の表面に濃色の印刷を施し、背景の万線と干渉した時にモアレ模様を形成する平行線よりなる波形パターンを備えたオーバープリント版を用いて、用紙表面に複写機で再生されない淡色の重ね刷りを施すことにより、印刷物の表面は肉眼を幻惑するモアレ模様が形成されるので潜像の存在は識別困難となり、複写機にかけると潜像と波形パターンは再生されずに背景のみが再生されるので、潜像が背景と区別して認められる、印刷物における複写防止用潜像カムフラージ法等が開示されている。
【００１３】
前記公報等による印刷物は、いずれも網点もしくは万線等の点及び線が一定周期で連続配置する画線群（以下、スクリーンパターンと称する）の粗密によって潜像が施され、印刷面全体の模様が均一濃度を持ったスクリーンパターンとなっている。前記潜像が施された印刷物を複写機によって複写した際、再生されない密構成のスクリーンパターンと、再生される粗構成のスクリーンパターンに濃度差が生じて、再生される粗構成のスクリーンパターンに対して、再生されない密構成のスクリーンパターンの潜像部分が現出するようにして、複写物であることが一目瞭然となるようにしたものであるが、印刷面全体が均一濃度を持ったスクリーンパターンという特徴から、肉眼視においても同一印刷面上の異なるスクリーンパターンによって、スクリーン形状の違いによる異別感及びスクリーンパターンゆえに生ずる潜像の境界線との干渉部により、潜像の存在を識別できてしまう欠点がある。
【００１４】
前記欠点を解決する方法として、前記公報等はいずれも潜像をカムフラージするために別の模様や薄色の透明インキ、淡色の重ね刷りを施しているが、前記方法は潜像を識別しにくくする点では有効であるが、工程数が増え経済的でないという欠点を有している。
【００１５】
そこで本願出願人は前述の問題点を解決するため、特開平８−３００８００号公報の、曲線状の集合模様を、潜像を施さない部分の線画を連続線、潜像を施した部分の線画を基本曲線方向に一定の間隔で配列された所定の形状の画線からなる定周期断絶線で構成し、潜像を施した部分の定周期断絶線のうち、基本曲線方向に連続した一つの画線部と非画線部からなる一周期に相当する部分の画線面積が、潜像を施さない部分の連続線のうち、基本曲線方向における前記一周期と同一の長さに相当する部分の画線面積と等しくなることを特徴としている。
【００１６】
又、潜像を施さない部分の線画と潜像を施した部分の線画の線画上の境界線が、基本曲線と潜像の輪郭線との交点において前記基本曲線に接する直線に対し、略直角に交わる直線となり、併せて、定周期断絶線上の画線部と非画線部の境界線が、基本曲線と定周期断絶線上の画線部と非画線部の境界線との交点において前記基本曲線に接する直線に対し、略直角に交わる直線となることを特徴とする複写防止模様の作成方法と印刷物を出願した。
【００１７】
しかし本願出願人が出願した特開平９−２００６１号公報及び特開平８−３００８００号公報の複写防止模様は、前者が複写時におけるモアレの現出であり、後者は複写時における潜像の現出であるから、各々の複写防止も模様が固有の効果を有するに過ぎない。そこで、本願出願人らは両者の特徴を一つの印刷物に集約できるものとして、実用新案登録第３０３０９３８号を既に登録している。しかし、前記登録出願においても元となる複数の多角形の配置によって、前記多角形の辺をなす線分の外向に、多角形の線分と同一の画線幅の定量連続拡張した等差数列をなす画線において、等差数列で割り切れない不都合な配列部分が生ずる場合がある。
【００１８】
【発明が解決しようとする課題】
本発明は上述の点に鑑みなされたもので、複写防止を必要とする各種証明書及び重要書類等をはじめ、銀行券、株券、債券などの有価証券等の印刷物において、複写機による複写や、通称プロセス印刷といわれるもののうち、幾何学的に規則正しく分布された点または線を用いた、例えばスクウェアドット、チェーンドット等の印刷スクリーン製版法により複製（以下複写機等により複写という）されたものであるか否かを、印刷物上の模様と複写時における複写機の走査入出力の走査線との干渉によって生じる模様（以下モアレ模様という）そのものを知らない一般の人であっても、真正物には存在しない図形状模様を、複写物には明瞭に発現させることによって、容易に、且つ、確実に複写物であると識別することができるだけでなく、通常は肉眼で識別できない潜像を施すことによって、カムフラージのための重ね刷りも必要とせず、デジタル複写機だけでなくアナログ複写機を含めた様々な機種に対応した偽造、変造防止効果を有する複写防止模様を有する印刷物の提供を目的としたものである。
【００１９】
【課題を解決するための手段】
本発明は、上記課題を解決するために、複数の線画付き三角形の集合模様である複写防止模様を有する印刷物であって、上記線画付き三角形は、三角形の垂心Ｐ１と、上記垂心Ｐ１から各辺への垂線と各辺との交点Ｐ２と、上記三角形の各頂点Ｐで構成される複数の部分三角形から構成され、上記部分三角形における線画付き三角形の辺をなす辺はその両端に長さａを残して長さ２ａづつに複数分割されており、上記部分三角形における線画付き三角形の辺をなす辺の分割された点に斜辺から垂直に描画された一定の画線幅を有する複数の画線から成る画線群で線画が構成されていることを特徴とする複写防止模様を有する印刷物を提供する。
【００２０】
本発明は、上記課題を解決するために、複数の線画付き三角形の集合模様である複写防止模様を有する印刷物であって、上記線画付き三角形は、垂心Ｐ１と、上記垂心Ｐ１から各辺への垂線と各辺との交点Ｐ２と、上記三角形の各頂点Ｐで構成される複数の部分三角形とから構成され、上記部分三角形における線画付き三角形の辺をなす辺はその両端に長さａを残して長さ２ａづつに複数分割されており、上記部分三角形における線画付き三角形の辺をなす辺の分割された点に対辺から、斜辺に平行に描画された一定の画線幅を有する複数の画線から成る画線群で線画が構成されていることを特徴とする複写防止模様を有する印刷物を提供する。
【００２１】
上記複数の線画付き三角形の集合模様は、複数の線画付き三角形が横方向に上下交互に並列して構成される段部を縦方向に複数配置し、縦方向に隣接する段部は、互いに隣接辺に対して対称の配置、又は互いに隣接辺に対して対象の配置としかつ該対称の配置から横方向にずれた配置のいずれか一つの配置である。
【００２２】
上記集合模様は潜像を含むような構成としてもよく、この潜像を付与する構成としては、例えば、潜像を施さない部分の画線を一本線、潜像を施した部分の画線を二本線以上の画線で表現し、上記潜像を施した部分の二本線以上の画線は、該二本線以上の画線の画線幅の合計の画線幅が、上記潜像を施さない部分の一本線の画線の画線幅と等しく、且つ、上記潜像を施さない部分の一本線から分岐している構成がある。
【００２３】
同じく潜像を付与する構成としては、潜像を施さない部分の画線を連続線で、潜像を施した部分の画線を一定の間隔で配列された所定の形状の画線からなる定周期断絶線で構成し、上記潜像を施した部分の定周期断絶線のうち、連続した一つの画線部と非画線部からなる一周期の長さに相当する部分の画線面積が、上記潜像を施さない部分の連続線のうち、上記一周期と同一の長さに相当する部分の画線面積と等しいようにする構成がある。
【００２４】
本発明は、上記課題を解決するために、三角形を、垂心Ｐ１と、上記垂心Ｐ１から各辺への垂線と各辺との交点Ｐ２と、上記三角形の各頂点Ｐで構成される複数の部分三角形に画成し、上記部分三角形の夫々について、上記部分三角形における線画付き三角形の辺をなす辺をその両端に長さａを残して長さ２ａづつに複数分割し、上記部分三角形における線画付き三角形の辺をなす辺の分割された点に斜辺から垂直に一定の画線幅を有する複数の画線から成る画線群を描画して線画付き三角形を形成し、線画付き三角形を複数集合して集合模様である複写防止模様を形成することを特徴とする複写防止模様を有する印刷物の作成方法を提供する。
【００２５】
本発明は、上記課題を解決するために、三角形を、垂心Ｐ１と、上記垂心Ｐ１から各辺への垂線と各辺との交点Ｐ２と、上記三角形の各頂点Ｐで構成される複数の部分三角形に画成し、上記部分三角形の夫々について、上記部分三角形における線画付き三角形の辺をなす辺をその両端に長さａを残して長さ２ａづつに複数分割し、上記部分三角形における線画付き三角形の辺をなす辺の分割された点に対辺から、斜辺に平行な一定の画線幅を有する複数の画線から成る画線群を描画して線画付き三角形を形成し、線画付き三角形を複数集合して集合模様である複写防止模様を形成することを特徴とする複写防止模様を有する印刷物の作成方法を提供する。
【００２６】
上記線画付き三角形を複数集合して集合模様である複写防止模様を有する印刷物の作成方法として、例えば、線画付き三角形を複数集合して集合模様である複写防止模様を有する印刷物の作成方法において、線画付き三角形を複数集合する場合は、線画付き三角形を複数横方向に上下交互に並列して段部を構成し、該段部を縦方向に複数配置し、縦方向に隣接する段部は、互いに隣接辺に対して対称の配置、又は互いに隣接辺に対して対象の配置としかつ該対称の配置から横方向にずれた配置のいずれか一つの配置とする作成方法がある。
【００２７】
上記集合模様に潜像を含ませる構成としてもよく、この潜像を付与する方法として、潜像を施さない部分の画線を一本線、潜像を施した部分の画線を二本線以上の画線で表現し、上記潜像を施した部分の二本線以上の画線を、該二本線以上の画線の画線幅の合計の画線幅が、上記潜像を施さない部分の一本線の画線の画線幅と等しく、且つ、上記潜像を施さない部分の一本線から分岐させるような方法がある。
【００２８】
同じく、潜像を付与する方法として、潜像を施さない部分の画線を連続線で、潜像を施した部分の画線を一定の間隔で配列された所定の形状の画線からなる定周期断絶線で構成し、上記潜像を施した部分の定周期断絶線のうち、連続した一つの画線部と非画線部からなる一周期の長さに相当する部分の画線面積を、上記潜像を施さない部分の連続線のうち、上記一周期と同一の長さに相当する部分の画線面積と等しくするような方法である。
【００２９】
なお、上記集合模様は地紋模様としてもよい。
【００３０】
【発明の実施の形態】
本発明に係る複写防止模様を有する印刷物の実施の形態を、実施例に基づいて図面を参照して説明する。本発明に係る複写防止模様を有する印刷物は、偽造が困難な地紋状の集合模様が印刷されで構成され、この集合模様は、複写をすると、複写機の走査線と集合模様との干渉により、複写物にモアレが生じて目視で複写による偽造であることが判別できるようにしたものである。
【００３１】
この複写防止模様は、基本となる三角形（以下、基本三角形という。）の中に一定の画線幅を有する画線により描画された線画を有する三角形（以下、線画付き三角形という。）を基本要素として、この基本要素である線画付き三角形が複数組み合わされて構成される線画の集合模様である。
【００３２】
（実施例１）
図１〜５は、本発明に係る複写防止模様を有する印刷物の実施例１を説明する図である。まず、図１〜４により、基本三角形、及び集合模様の基本要素である線画付き三角形について説明する。図１において、一辺が長さＤの基本三角形（正三角形）１の各頂点Ｐから対辺の点Ｐ２へ垂線をひき、互いの垂線の交点（垂心）をＰ１とする。
【００３３】
図２は、三角形１の一部である点Ｐ、Ｐ１、Ｐ２で構成される三角形（以下、部分三角形という。）の拡大図であり、この部分三角形Ｐ、Ｐ１、Ｐ２により線画の構成を説明する。部分三角形の底辺Ｐ、Ｐ２（長さＡ）及び斜辺Ｐ、Ｐ１（長さＢ）は、夫々の両端にａ１及びｂ１の幅をとり、その間をａ２及びｂ２の長さでもって等分割する。ここに、ａ２はａ１の２倍の長さであり、ｂ２のｂ１の２倍の長さである。この底辺及び斜辺の分割点を結んで複数の垂直な点線（下書き点線）が引かれる。
【００３４】
図３は、図２のような部分三角形から構成される、基本三角形１全体についての上記下書き線の描かれた状態を示す図である。
【００３５】
そして、図３の下書き線上に一定の画線幅を有する画線から成る画線群が描画されて線画から構成され、図４に示されるような線画付き三角形２が形成される。
【００３６】
集合模様の基本要素となる線画付き三角形が複数組み合わされて、図５に示すような集合模様３が構成される。この集合模様３では、線画付き三角形（あるいは基本三角形１）が横方向に上下交互に並列して組み合わされて段４〜７の各段が構成されている。
【００３７】
段４と段５は、互いに上下対象に配置されていおり、これにより、段４の三つの三角形及び段５の三つの三角形、合計六つの三角形の夫々の一つの頂点Ｐが互いに一点Ｏで重なり、この点Ｏを中心に、各三角形の線画の画線群が連成して複数の相似形の六角形の模様Ｒが形成されている。
【００３８】
段５と段６とは、互いに上下対象の状態から互いに横方向に若干ずれて配置されており、これにより、段５の三つの三角形の夫々の一つの頂点Ｐが互いに重なる点Ｇ、及び段１１の三角形の夫々の一つの頂点Ｐが互いに重なる点Ｇ’をそれぞれ中心とした二重の六角形状の螺旋模様Ｗ、Ｗ’が複数形成されている。
【００３９】
図１０に、上記集合模様３をＡ４枠１３内の全体に印刷した印刷物を示す。そして、図１０の円形枠内に、螺旋模様Ｗ、Ｗ’の要部拡大図を示す。この要部拡大図でも明確なように、線画付き三角形の線画を構成する画線群１４は、互いに隣接する画線群が連成し六角形状の螺旋模様Ｗ、Ｗ’を構成している。
【００４０】
同様に、段６と段７は、互いに上下対象の状態から互いに横方向に若干ずれて配置されており、これにより、段５の三つの三角形の夫々の一つの頂点Ｐが互いに重なる点Ｈ、及び段１１の三角形の夫々の一つの頂点Ｐが互いに重なる点Ｈ’をそれぞれ中心とした二重の螺旋模様Ｙ、Ｙ’が複数形成されている。
【００４１】
ところで、螺旋模様Ｗ、Ｗ’の中心となる点Ｇ、Ｇ’のずれと、螺旋模様Ｙ、Ｙ’の中心となる点Ｈ、Ｈ’のずれとは互いに異なり、これにより、螺旋模様Ｗ、Ｗ’と螺旋模様Ｙ、Ｙ’のそれぞれの螺旋径は異なる。このように上下隣接する段同士のずれを異ならせ集合模様３を微妙に異ならせることにより、複製を困難として偽造防止効果を高めている。
【００４２】
図５の集合模様３を、デジタル複写機で複写した場合に、その複写物にモアレが発生する。このモアレのパターンは、集合模様の図柄等により左右されるから、このモアレのパターンをその真偽の判別の一要素とすることもできる。ところで、このモアレをできやすくするには、画線の間隔を４００μｍ程度にし、画線の画線幅を５０μｍ程度に設定するのが望ましい。但し、デジタル複写機の機種によって効果はことなるので、画線の間隔及び画線幅は前記寸法に限るものではなく、画線の間隔及び画線幅は適時設定する。
【００４３】
そして、集合模様３の色については、白地に対し画線群が紺色、茶色等の高濃度色であることが望ましいが、デジタル複写機における複写時にモアレ効果を現出できるものであれば、特にこの限りではない。
【００４４】
（実施例２）
図６〜９は、本発明に係る実施例２を説明する図である。まず、図６〜８により基本要素である線画付き三角形について説明する。図６は、図７で示される基本三角形１の部分三角形の要部拡大図である。この基本三角形１（一辺の長さがＤの正三角形）は、実施例１と同様に、基本要素となる線画付き三角形を画成する三角形である。そして、三角形１の各頂点Ｐから対辺の点Ｐ２へ垂線を描き、互いの垂線の交点（垂心）をＰ１とする。上記部分三角形は、三角形１の中の点Ｐ、Ｐ１、Ｐ２で構成される三角形である。
【００４５】
図６において、この部分三角形Ｐ、Ｐ１、Ｐ２により線画の構成を説明する。部分三角形の底辺Ｐ、Ｐ２（長さＡ）及び対辺Ｐ１、Ｐ２（長さＣ）は、両端に長さａ１’及びｃ１の幅をとって、その間を長さａ２’及びｃ２により夫々等分割する。ここに、ａ２’はａ１’の２倍の長さであり、ｃ２はｃ１の２倍の長さである。そして、夫々この底辺及び対辺の分割点を結んで複数の斜めの点線（下書き点線）が引かれる。この下書き点線は、幾何学的に部分三角形の斜線Ｐ、Ｐ１（幅Ｂ）に平行である。
【００４６】
三角形１全体について、上記下書き線の描かれた状態を図７に示す。そして、図７の下書き線上に一定の画線幅を有する画線の画線群が描画され線画が構成され、図８に示すような線画付き三角形８が形成される。この線画付き三角形８が本発明に係る複写防止模様の基本要素となる。
【００４７】
このような基本要素である線画付き三角形８が複数組み合わされて、図９に示されるような集合模様９が構成される。この集合模様９では、線画付き三角形が横方向に上下交互に並列して組み合わされ、段１０〜１３の各段が構成されている。
【００４８】
段１０と段１１とは、互いに上下対象に配置されており、これにより、上下六つのの三角形８の夫々の一つの頂点Ｐが重なり、各三角形の線画の画線群により菱形の相似模様が、上下段１０、１１の集合辺に沿って、複数形成される。この状態の要部拡大図を図１０に示す。
【００４９】
段１１と段１２とは、互いに上下対象の状態から互いに横方向に若干ずれて配置されており、これにより、段１１の三つの三角形の夫々の一つの頂点が重なる点と段１２の三つの三角形の夫々の一つの頂点が重なる点は横方向のずれて、菱形状の螺旋模様が、上下段１１、１２の共有する辺に沿って、複数形成されている。
【００５０】
段１２と段１３は、同様に互いに上下対象の状態から互いに横方向に若干ずれて配置されており、これにより、段１２の三つの三角形の夫々の一つの頂点の重なる点と段１３の三つの三角形の夫々の一つの頂点の重なる点は互いの横方向にずれて、菱形状の螺旋模様が、上下段１２、１３の共有する辺に沿って、複数形成されている。
【００５１】
ところで、段１１と段１２のずれの度合いと、段１２と段１３のずれの度合いとは互いに異なっており、これにより夫々が形成する菱形状の螺旋模様の大きさが異なる。このように上下隣接する段同士のずれを異なら集合模様を微妙に異ならせることにより、偽造防止効果を高めている。
【００５２】
実施例２においても実施例１同様に、図９の集合模様３を、デジタル複写機で複写した場合に、その複写物にモアレが発生し、このモアレを真偽判別に利用できる点、モアレが発生しやすい画線の寸法条件、色の条件等は実施例１と同様であるから、その説明は省略する。
【００５３】
（実施例３）
次に、基本要素である三角形の線画を構成する画線群に潜像を施した複写防止模様について説明する。この潜像を施すことにより、実施例１や実施例２の複写防止模様を有する印刷物を複写機等により複写した場合、それが複写による偽造品であることが一目瞭然で確認でき、より偽造防止効果をあげることができる。
【００５４】
複写防止のための線画の画線の潜像の付与方法については、すでに特開平８−１９７８２８号公報及び特開平８−３００８００号公報において紹介されているところである。図１１（イ）は、特開平８−１９７８２８号公報に記載された潜像の構成であり、潜像を施さない部分の画線１５を一本線、潜像を施した部分の画線１６を二本線以上の画線で表現し、潜像を施した部分の二本線以上の画線１６は、二本線以上の画線１６の画線幅Ｃの合計の画線幅が、潜像を施さない部分の一本線の画線１５の画線幅Ａと等しく、且つ、潜像を施さない部分の一本線から分岐している特徴を有している。複写防止効果によって適当な画線１６の間隔Ｄを設ける。
【００５５】
図１１（ロ）は、特開平８−３００８００号公報に記載された潜像の構成であり、潜像を施さない部分の画線１５を連続線で、潜像を施した部分の画線１７を一定の間隔で配列された所定の形状の画線からなる定周期断絶線で構成し、潜像を施した部分の定周期断絶線のうち、連続した一つの画線部と非画線部からなる一周期の長さＢに相当する部分の画線面積が、潜像を施さない部分の画線１５のうち、前記一周期と同一の長さＢに相当する部分の画線面積と等しくなるような、潜像を施さない部分の画線１５の画線幅Ｆを満たしている特徴を有している。潜像を施した部分の画線１７における一周期の長さＢと長さＥは、複写防止効果によって適当な寸法にする。
【００５６】
即ち、前記一方及び他方の潜像の付与方法は、図１２（ロ）で説明した一周期の長さＢで図１２（イ）に適用すると、図１２（イ）ではＡ×Ｂ＝（Ｃ＋Ｃ）×Ｂであり、図１２（ロ）ではＡ×Ｂ＝Ｅ×Ｆを満たしている。
【００５７】
（実施例３）
図１２〜１３は、本発明に係る複写防止模様を有する印刷物の実施例３を示す図であり、これは、実施例１記載の印刷物に、上記図１１（イ）において説明した潜像を適用したものである。図１２において、印刷物１８は、基本的には、図１０に示す実施例１同様の相似形の六角形や渦巻き等を含む集合模様９がＡ４版サイズの用紙枠１３全体に収るまで描画されている。但し、この集合模様には、「ＶＯＩＤ」という文字からなる潜像パターン１９が含まれている。
【００５８】
この潜像パターン１９の構成は、図１２の円形枠内にに要部拡大図として示されている。即ち、基本要素となる各線画付き三角形の線画を、一定幅かつ一本である、潜像を施さない画線から成る画線群（潜像を施さない画線群）２０と、この画線群２０に連成する二本の潜像を施した画線群（潜像を施した画線群）２１とから構成する。そして、上記「ＶＯＩＤ」という文字から成る潜像パターン１９に相当する部分は、潜像を施した画線群２１で構成する。
【００５９】
図１２において、印刷物１８を目視で観察した場合、観察者には、潜像を施した画線群２１が二本線であるにもかかわらず、潜像を施さない画線群２０と連成した一本の線画であるかのように肉眼では認識され。従って、観察者は印刷画線を拡大視を試みない限り、潜像パターン１９の存在に気づかず、一様な地紋模様のように見える。
【００６０】
図１３は、図１２の印刷物１８を、デジタルカラー複写機（キャノン・カラーレーザーコピア４７０）によって複写した複製物２２を示したものである。図１２の円形枠内にその要部拡大図を示している。印刷物１８中の潜像を施さない画線群２０及び潜像を施した画線群２１は、複製物２２では、夫々要部拡大図において示されているように画線群２３及び画線群２４として複写される。
【００６１】
この要部拡大図で明きらかなように、潜像を施した画線群２１は複写機では再生不能となり、画線群２１に対応する画線群２４は認識できない（要部拡大図では説明の都合上一応画線群２４として記入した。）。そして、潜像を施さない画線群２０の複写である画線群２３のみが再生でき、認識できる画線となる。これにより、潜像パターン１９は顕像の状態となり、複写機を用いた複製物であることが一目瞭然となり、これにより真偽判別が可能となる。
【００６２】
さらに、図１２の潜像を施さない画線群２０は、部分的に方向性の異なる直万線状態を有することから、図１３のデジタルカラー複写機（キャノン・カラーレーザーコピア４７０）の複写すると、部分的に直万線状態部分の線配列とデジタルカラー複写機の走査線の干渉によりモアレが顕著に発現することで複写機を用いた複製物であることは一目瞭然となる。これらの各々のモアレは線画を構成する各種の画線群により、又線画の様々な形状の組み合わせによってモアレの発生個所や大きさを変えることができ、この点を真偽判別の要素として利用してもよい。
【００６３】
（実施例４）
図１４〜１５は、本発明の複写防止模様を有する印刷物の実施例４を説明する図であり、実施例１記載の印刷物に上記図１１（ロ）において説明した潜像を適用したものである。図１４において、印刷物１８は、基本的には、図１０に示す実施例１同様の相似形の六角形、渦巻き等を含む集合模様がＡ４版サイズの用紙枠１３全体に収るまで描画されている。但し、「ＶＯＩＤ」という文字からなる潜像パターン１９が含まれている。
【００６４】
この潜像パターンの構成を、図１４の円形枠内に要部拡大図として示す。基本要素となる線画付き三角形の線画は、一定幅かつ一本である、潜像を施さない画線から成る画線群（潜像を施さない画線群）２０と、この画線群２０に連成する定周期断絶線の潜像を施した画線群（潜像を施した画線群）２１とから構成する。潜像パターン１９に相当する部分は、潜像を施した画線群２１により構成されている。
【００６５】
図１４の印刷物１８を目視で観察した場合、観察者には、潜像を施した画線群２１が定周期断絶線であるにもかかわらず、潜像を施さない画線群２０と連続した一本の線画であるかのように肉眼では認識され、観察者は印刷画線を拡大して見ない限り、潜像パターン１９の存在に気づかず、一様な地紋模様のように見える。
【００６６】
図１５は、図１４の印刷物１８を、デジタルカラー複写機（キャノン・カラーレーザーコピア４７０）によって複写した複製物２８を示したものである。図１５の円形枠内にその要部拡大図を示している。印刷物１８中の潜像を施さない画線群２０及び潜像を施した画線群２１は、複製物２８では、夫々上記要部拡大図において示されているように、画線群２９及び画線群３０として複写される。
【００６７】
この要部拡大図で明きらかなように、潜像を施した画線群２１は複写機では再生不能となり、画線群２１に対応する画線群３０は認識できない（この要部拡大図では説明の都合上一応画線群３０として記入した。）。潜像を施さない画線群２０を複写した画線群２３のみが再生でき認識できる画線となる。これにより、潜像パターン１９は顕像の状態となり、複写機を用いた複製物であることが一目瞭然となり、これにより真偽判別が可能となる。
【００６８】
さらに、図１４の潜像を施さない画線群２０は、部分的に方向性の異なる直万線状態を有することから、デジタルカラー複写機（キャノン・カラーレーザーコピア４７０）で複写すると、部分的に直万線状態部分の線配列とデジタルカラー複写機の走査線の線配列が干渉し、図１５の複製物２８において示されているように、モアレが顕著に発現する。これにより、複写機を用いた複製物であることは一目瞭然となる。
【００６９】
これらの各々のモアレは、線画を構成する各種の画線群の様々な組み合わせをすることにによってモアレの発生個所や大きさを変えることができ、この点に着目して、モアレにより真偽判別の要素として利用してもよい。
【００７０】
【発明の効果】
以上詳細に説明したように、本発明の方法による複写防止模様を有する各種証明書及び重要書類等をはじめ、銀行券、株券、債券などの有価証券等の印刷物は、肉眼で視認した場合には単なる一様な地紋状模様として認識され、複写機等により複写した場合には、モアレ模様による図形化されたパターンが顕著に発現する。
【００７１】
従って、本発明の方法による複写防止模様を施すことによって、前記有価証券等の印刷物が複写機等により複写されたものであるか否かを、モアレ模様そのものを知らない一般の人が、真正物には存在しない円形状等の模様を視認することによって、何等の器具、装置を用いずに真正物であるか複写物であるかの識別をすることができるだけでなく、複写機により複写した場合は潜像を施した部分が再生不能となり、潜像が顕像化されるので、複写機による偽造、変造を防止できる。
【００７２】
又、本発明の地紋模様では、単色印刷においても容易に肉眼では潜像を識別できないことから、あえてカムフラージ模様を重ね刷りする必要がなく、前記地紋模様を単色の地紋模様として用いることもできる。
【００７３】
本発明は、モアレ模様の発生と潜像の現出という一つの印刷物において二重の複写防止効果を有しており、一方の複写機にはモアレ模様の発生が効果を有したり、もう一方の複写機には潜像の現出の効果を有したり、更にもう一方ではモアレ模様の発生と潜像の現出が同時に生じたりすることによって、複写機おける複写で両者の模様の複写機による偽造、変造を防止しなければならない銀行券、株券、債券等の有価証券や、各種証明書及び重要書類等の複写機において、容易に、且つ、確実に複写物であると識別することができるだけでなく、デジタル複写機だけでなくアナログ複写機の様々な機種に対応した偽造、変造防止効果を有する技術として有効である。
【図面の簡単な説明】
【図１】本発明の実施例１の線画付き三角形の基本三角形を構成する基本線を示す図である。
【図２】基本三角形の一部の部分三角形を示す図である。
【図３】基本三角形の下書き線を示す図である。
【図４】  本発明の実施例１の複写防止模様の基本要素となる線画付き三角形を示す図である。
【図５】図４の線画付き三角形を集合して構成される本発明の集合模様である。
【図６】本発明の実施例２の基本三角形の一部の部分三角形を示す図である。
【図７】本発明の実施例２の基本三角形の下書き線を示す図である。
【図８】  本発明の実施例２の複写防止模様の基本要素となる線画付き三角形を示す図である。
【図９】  図８の線画付き三角形を集合して構成される集合模様である。
【図１０】本発明の実施例の印刷物及びその要部拡大図を示す図である。
【図１１】  潜像を施した部分と潜像を施さない部分の画線構成を示した拡大図である。
【図１２】本発明の実施例３を示す図であり、潜像を施した部分と潜像を施さない部分の画線構成を示す要部拡大図である。
【図１３】図１２の印刷物を複写機で複写した複写物を示し、潜像パターンが顕像の状態を示す図である。
【図１４】本発明の実施例４を示す図であり、潜像を施した部分と潜像を施さない部分の画線構成を示した要部拡大図である。
【図１５】図１４の印刷物を複写機で複写した複写物を示し、潜像パターンが顕像の状態を示す図である。
【符号の説明】
１    基本三角形
２、８    線画付き三角形
３、９    本発明の集合模様（複写防止模様）
４〜７、１０〜１３    集合模様の格段
１３      Ａ４枠
１４ 画線群
１５ 潜像を施さない画線
１６ 潜像を施す画線
１７ 定期周期断絶線
１８、２２ 印刷物
１９ 潜像パターン
２０ 潜像を施さない画線
２１ 潜像を施す画線群
２２、２８ 複写による複製物
２３、２９ 潜像を施さない画線の複製物における対応画線
２４、３０ 潜像を施した画線の複製物における潜像を施した画線の対応画線
Ａ    部分三角形の底辺の長さ
Ｂ 部分三角形の斜辺の長さ
Ｃ 部分三角形の対辺の長さ
Ｄ 基本三角形の一辺の長さ
Ｐ 基本三角形の頂点
Ｇ、Ｇ’、Ｈ、Ｈ’ 異なる線画付き三角形の頂点Ｐが重なる点
Ｏ    頂点Ｐが互いに重なる一点
Ｒ    相似形の六角形の模様
Ｗ、Ｗ’、Ｙ、Ｙ’ 螺旋模様
【図１】
0003762946.tif 000002
【図２】
0003762946.tif 000003
【図３】
0003762946.tif 000004
【図４】
0003762946.tif 000005
【図５】
0003762946.tif 000006
【図６】
0003762946.tif 000007
【図７】
0003762946.tif 000008
【図８】
0003762946.tif 000009
【図９】
0003762946.tif 000010
【図１０】
0003762946.tif 000011
【図１１】
0003762946.tif 000012
【図１２】
0003762946.tif 000013
【図１３】
0003762946.tif 000014
【図１４】
0003762946.tif 000015
【図１５】
0003762946.tif 000016